(57)【特許請求の範囲】
【請求項１】
箱形をなす機器本体の前面における上部の領域には開口部が形成され、この開口部には扉が下縁を中心とした揺動可能に支持されており、前記扉には、先端にフックを設けたストッパアームが回動可能に軸支され、このストッパアームが前記機器本体側に延びた姿勢を採った場合には前記フックが下方に開放されるようになっているとともに、前記機器本体における前記扉の揺動中心よりも上方位置には係止部が設けられ、前記ストッパアームの前記フックが前記係止部に上方から嵌合することで前記扉が略水平姿勢の開放状態に保持され、前記フックの前記係止部に対する嵌合の解除に伴い、前記扉が機器本体の前面の下部の領域に沿うように垂下して全開可能とされていることを特徴とする機器の扉装置。
【請求項２】
前記扉は、その左右の外側面に設けられたヒンジ部を介して揺動可能に支持されているとともに、前記扉の側方には、機器本体と連結されてこの扉を閉鎖方向に揺動付勢可能な伸縮ステイが設けられ、この伸縮ステイの扉側の連結端が前記ヒンジ部に兼用して連結されていることを特徴とする請求項１記載の機器の扉装置。
【発明の詳細な説明】
【０００１】
【発明の属する技術分野】
本発明は、洗浄器等の機器の扉装置に関するものである。
【０００２】
【従来の技術】
従来、食器洗浄機の扉装置としては、実公昭５１−３８７１０号公報に記載されたものが知られている。このものは、図１２に示すように、洗浄室ａの前面に開口された出入口ｂに、扉ｃがその下縁を中心として揺動可能に支持されるとともに、扉ｃから一体的に突設されたストッパアームｄが洗浄機本体の前面を貫通してその内部に臨み、そのストッパアームｄの先端に装着された引張コイルばねｅの付勢力で扉ｃが閉鎖され、扉ｃを自重を利用しつつ付勢力に抗して開くと、ストッパアームｄが本体内に設けられた係止部ｆで係止されることにより水平姿勢に保持され、扉ｃ上に被洗浄物を載せつつ洗浄室ａ内に出し入れできるようになっている。
【０００３】
【発明が解決しようとする課題】
上記構造のものでは、例えば前面の出入口ｂから洗浄室ａ内を清掃したいような場合には、水平姿勢で突出した扉ｃが邪魔になって作業がやりにくいという問題があった。
本発明は上記のような事情に基づいて完成されたものであって、その目的は、扉を下向きに全開し得るようにした扉装置を提供するところにある。
【０００４】
【課題を解決するための手段】
上記の目的を達成するための手段として、請求項１の発明に係る機器の扉装置は、箱形をなす機器本体の前面における上部の領域には開口部が形成され、この開口部には扉が下縁を中心とした揺動可能に支持されており、前記扉には、先端にフックを設けたストッパアームが回動可能に軸支され、このストッパアームが前記機器本体側に延びた姿勢を採った場合には前記フックが下方に開放されるようになっているとともに、前記機器本体における前記扉の揺動中心よりも上方位置には係止部が設けられ、前記ストッパアームの前記フックが前記係止部に上方から嵌合することで前記扉が略水平姿勢の開放状態に保持され、前記フックの前記係止部に対する嵌合の解除に伴い、前記扉が機器本体の前面の下部の領域に沿うように垂下して全開可能とされている構成としたところに特徴を有する。
【０００５】
請求項２の発明は、請求項１に記載のものにおいて、前記扉は、その左右の外側面に設けられたヒンジ部を介して揺動可能に支持されているとともに、前記扉の側方には、機器本体と連結されてこの扉を閉鎖方向に揺動付勢可能な伸縮ステイが設けられ、この伸縮ステイの扉側の連結端が前記ヒンジ部に兼用して連結されている構成としたところに特徴を有する。
【０００６】
【発明の作用及び効果】
＜請求項１の発明＞
扉を閉鎖位置から開放すると、ストッパアームが係止部に係合することで、扉は略水平姿勢で保持される。そして、ストッパアームを係止部から外すと、扉は下を向いた全開姿勢とすることができる。すなわち、扉を適宜に下を向いた全開姿勢とすることができるので、開口部を通して本体内の清掃やメンテナンス等を行う場合に便利となる。
【０００７】
＜請求項２の発明＞
伸縮ステイが扉の側方に配されているから、伸縮ステイを備えるにも拘らず扉を下向きの全開姿勢とすることができる。また、扉のヒンジ部を伸縮ステイの連結部に兼用したことで構造も簡単にできる。
【０００８】
【発明の実施の形態】
以下、本発明の一実施形態を図１ないし図１１に基づいて説明する。本実施形態では、例えば、ケーキ製造の際に用いるボールや泡立て器のような容器や調理器具等を洗浄するために用いる容器洗浄機を例示している。
まず、図２及び図４によって全体構造を説明する。この洗浄機は、縦長の箱体１を備えており、図９にも示すように、この箱体１内の上部側が洗浄室２となっていて、その前面に出入口３が開口されているとともに、箱体１内の底部側が洗浄水を貯留する洗浄タンク４となっている。洗浄タンク４内には図示しない投げ込み式のヒータが装備されている。この箱体１の左右の側面の前後両端には、それぞれチャンネル形をなす支柱６が溶接により固定され、特に前側の左右の支柱６は開口部を後方に向けた姿勢を取っている。４本の支柱６は、上端が箱体１の天井面より少し突出し、また下端が箱体１の底面より大きく突出している。各支柱６の下端には脚７が設けられて箱体１を支持しており、これにより洗浄機本体９が構成されている。
【０００９】
上記した出入口３には、扉１０の下縁が揺動開閉可能に支持されている。この扉１０の開閉部分の構造については改めて詳述する。洗浄機本体９における出入口３の下方、左右の側面及び天井面にはそれぞれパネル１３が張られており、パネル１３の張られた部分では、箱体１の回りが二重壁構造となっている。出入口３の上方には操作部１１が設けられているとともに、箱体１の下方には機械室１２が構成されている。
【００１０】
内部構造を図９によって説明する。洗浄室２の上下両側には、洗浄ノズル１４とすすぎノズル１５とが一対ずつ配設されている。機械室１２内には、上洗浄ポンプ１６と下洗浄ポンプ１７とが設置されている。各洗浄ポンプ１６，１７の吸入管１６Ａ，１７Ａは、上記した洗浄タンク４の底面に並んで開口された個別の吸入口１８，１８と接続されている。下洗浄ポンプ１７の吐出管１７Ｂは、洗浄タンク４の底面から突出して洗浄室２の下面側の中心に臨んでおり、一方、上洗浄ポンプ１６の吐出管１６Ｂは、側面の二重壁１９内を立ち上がって配管されたのち、二重の天井部内の中心に突出している。
また、機械室１２内には、図示しない貯湯タンクに接続されたすすぎポンプ２０が設置されており、その吐出管２１が反対側の側面の二重壁１９内を立ち上がって、二重の天井部の中心に突出しており、またその吐出管２１の途中から分岐された吐出管２２が、洗浄室２の側面から突出して洗浄室２の下面側の中心に臨んでいる。
【００１１】
下側の洗浄水の吐出管１７Ｂとすすぎ水の吐出管２２の互いに突き合わされた突出端には、ノズルホルダ２４が上向きに接続され、一方、上側の洗浄水の吐出管１６Ｂとすすぎ水の吐出管２１の互いに突き合わされた突出端には、同ノズルホルダ２４が洗浄室２の天井面を貫通しつつ下向きに接続されている。このノズルホルダ２４は、下側のものを例に取ると、図１０に示すように、エルボ形をなす外管２５の上方を向いた開口内に、上端を開口した背の高い内管２６が同心に嵌装された二重管構造となっており、外管２５の側方を向いた開口２５Ａに、下洗浄ポンプ１７の吐出管１７Ｂの先端が接続されている。一方、内管２６の下端には、すすぎポンプ２０の下側の吐出管２２の先端が外管２５を貫通して接続されている。
【００１２】
上記の洗浄ノズル１４は、平面正六角形をなす中空状の取付体２８の側面に、噴出口３０の列設された３本のノズル２９が放射状に突設されている。取付体２８の上下両面の中心にはそれぞれ中心孔３１，３２が形成され、下面の中心孔３２は、ノズルホルダ２４の外管２５の上端に外嵌可能となっている。取付体２８内の中心には、内管２６に緊密に嵌合可能な軸受筒３３が嵌装され、上面に形成されたフランジ部３４を、取付体２８の上面にねじ３５で止めることにより固定されている。なお、この軸受筒３３の上面には、環形の回転板３７がボール３８を介して縦軸回りの回転自由に装着され、取付体２８の上面の中心孔３１の口縁で抜け止めされている。そして、この洗浄ノズル１４は、取付体２８に固定された軸受筒３３が内管２６の上端から嵌装されて、軸受筒３３の下端が内管２６の外周に突設された支持鍔３９で受けられるとともに、取付体２８の下面の中心孔３２が外管２５の上端の外側に嵌められ、係る状態で縦軸回りの回転自由に支持されている。
【００１３】
一方のすすぎノズル１５は、Ｔ字管４１の横向きの接続口に、それぞれ噴出口４３の列設された２本のノズル４２が接続されているとともに、下向きの接続口の外周に、ワッシャ４５を介して取付リング４６が相対的な回転可能に嵌装され、止め輪４７により一体的に組み付けられている。そして、このすすぎノズル１５は、取付リング４６を内管２６の上端に切られた雌ねじ４８に螺着することで固定され、Ｔ字管４１ともども２本のノズル４２が縦軸回りの回転自由に支持されている。
洗浄室２の上面側では、下面側とは逆向きに、同様の手順により洗浄ノズル１４とすすぎノズル１５とがそれぞれ回転自由に支持される。なお、ボール３８を介して回転自由に装着された回転板３７は、下側では機能しないが、上側では、回転板３７がすすぎノズル１５の取付リング４６に載った状態で組み付けられるため、回転板３７が、洗浄ノズル１４をすすぎノズル１５とは別に縦軸回りに回転させ得るように機能する。
【００１４】
再び図９において、上記した洗浄タンク４の底面には排出口５０が開口され、排水パイプ５１と接続されており、この排出口５０に、オーバフローパイプ５３が立てられている。このオーバフローパイプ５３は、図１１に詳細に示すように、内外のパイプ５４，５５を偏心位置で嵌装して一部を密着させ、また内パイプ５４の下端と、外パイプ５５の上端をそれぞれ相手から突出させて固定されている。内パイプ５４の下端にはゴムブッシュ５６が嵌着されているとともに、外パイプ５５の上端には、外パイプ５５よりも大径の環形をなす把手５７が、円周方向に間隔を開けて配した複数の連結板５８を介して、外パイプ５５から離間して取り付けられている。すなわちこのオーバフローパイプ５３は、図９に示すように、ゴムブッシュ５６を排水口５０に嵌合することで洗浄タンク４内に立てられ、洗浄タンク４内の貯水量が増すと、内外のパイプ５４，５５の間に下方から流入した洗浄水が内パイプ５５の上端からその中に流下して排水され、洗浄水の水位Ｌが内パイプ５４の上端位置に維持されるようになっている。
また、洗浄タンク４の底面の上記した２個の吸入口１８，１８を覆うようにしてボックス形のフィルタ６０が設けられている。このフィルタ６０は、下面開放の箱形をなし、４つの側面にはそれぞれパンチメタル６１が張設されている。
【００１５】
したがって、洗浄室２内にラック６２（図２参照）に載せられて被洗浄物が収容されると、まず両洗浄ポンプ１６，１７が駆動されて、洗浄タンク４内に貯留された洗浄水が、図１０の実線の矢線に示すように、吐出管１６Ｂ，１７Ｂを通して上下の洗浄ノズル１４に供給され、両洗浄ノズル１４は、噴射の反力を受けて回転しつつそれぞれのノズル２９の噴出口３０から洗浄水を被洗浄物に向けて噴出する。続いてすずき工程に移ると、すすぎポンプ２０が駆動されることで、図１０の破線の矢線に示すように、貯湯タンク内のすすぎ水が吐出管２１，２２を通して上下のすすぎノズル１５に供給され、両すすぎノズル１５は、同様に噴射の反力を受けて回転しつつそれぞれノズル４２の噴出口４３からすすぎ水を被洗浄物に向けて噴出する。洗浄タンク４のオーバフロー水は、オーバフローパイプ５３を通して順次に排出される。
【００１６】
なお、上記した下側の洗浄ノズル１４の組み付け構造では、取付体２８の軸受筒３３をノズルホルダ２４の内管２６の上端から落とし込むだけとなっていて、組み付けの簡素化が図られている。そこで、図１０に示すように、取付体２８の下面側の中心孔３２と、ノズルホルダ２４における外管２５の上端の外周との間には若干の隙間Ｓができる（同図では強調して記載されている）。そのため、洗浄ノズル１４に洗浄水が供給された際、上記の隙間Ｓから洗浄水が洩れて下方に向けて噴出されるおそれがある。そうすると、洗浄タンク４内の洗浄水の水面に勢い良く吹き付けられることで気泡が生じ、これが洗浄ポンプ１６，１７に吸引されて、いわゆるエアがみを起こす原因なる。そのため本実施形態では、ノズルホルダ２４の外管２５における上記の隙間Ｓができる部分の下方位置に、案内鍔６３が形成されている。そうすると、隙間Ｓから洩れて噴出した洗浄水は、図１０の矢線に示すように、案内鍔６３に当たって側方に案内されたのち洗浄タンク４上に落下することになり、勢いが減少されることで気泡もできにくい。もってエアがみの防止に寄与し得る。
【００１７】
続いて、洗浄室２の出入口３に設けられた扉１０の開閉構造について詳細に説明する。
扉１０は二重構造であって、出入口３の前面を覆うことのできる正面方形に形成されており、上縁に沿って把手６５が設けられているとともに、下縁側が手前側の揺動可能に支持されている。詳細には、図７に示すように、前側の左右の支柱６の前面にＬ型ブラケット６６が取り付けられているとともに、扉１０の左右の側縁の下端部にヒンジ板６７が取り付けられており、このヒンジ板６７の下端部（図７では奥側）と、上記のブラケット６６における前面側への突出縁の下端部とが、軸６８によって揺動可能に支持されている。
【００１８】
一方、扉１０の裏面の左右の側縁には、ストッパアーム７０の収納溝７２が形成されている。この収納溝７２内における上記のヒンジ板６７の上端と対応する位置には、先端にフック７１（図４参照）を設けたストッパアーム７０の基端部が軸７３により回動可能に支持されている。また、上記した前側の支柱６には縦方向のスリット７５が形成され（図２参照）、ストッパアーム７０がそのスリット７５を通してそれぞれ左右の側面の二重壁１９内に挿入可能とされている。二重壁１９内には、図４に示すように、ストッパアーム７０の下縁を受ける転動ローラ７６と、ストッパアーム７０のフック７１に係止可能な係止軸７７とが並んで設けられている。したがって、図４に示すように、扉１０が閉鎖位置に揺動されると、ストッパアーム７０の基端側の下縁が転動ローラ７６で受けられつつ、ストッパアーム７０は後方の斜め上方を向いた姿勢を取る。係る状態から扉１０を開放し、図５に示すように、水平姿勢を取るまでに揺動されると、ストッパアーム７０のフック７１が係止軸７７に係止されることで、扉１０が水平姿勢を取った開放状態に保持されるようになっている。また、図５の状態から扉１０を少し起こすと、ストッパアーム７０のフック７１が係止軸７７から後方に抜けるので、引き続いてストッパアーム７０を軸７３を中心に手前側に回動させることで、係止軸７７から外すことができる。ストッパアーム７０はスリット７５を通してそのまま扉１０側に反転させることができ、収納溝７２に収納可能となる。そのとき先端のフック７１が収納溝７２の開口から少し突出した状態となる（図６参照）。
【００１９】
また、扉１０と洗浄機本体９との間には、扉１０の閉鎖動作を助勢するためのガススプリング８０が介設されている。このガススプリング８０は公知のものであって、図８に示すように、シリンダ８１内に、オリフィスを設けたピストンが摺動自由に嵌装されて、このピストンの一面に突設されたロッド８２がシリンダ８１の一端から突出されているとともに、シリンダ８１内に窒素ガス等の圧縮ガスが封入された構造であって、常にはロッド８２が伸長する方向に付勢され、またダンパ機能も有するものである。
【００２０】
なおシリンダ８１内には、圧縮ガスのシールを兼ねてロッド８２の潤滑剤としてのオイルが入っていて、ロッド８２はその表面にオイルが付着した状態で突出する。一方、この種の容器洗浄機では洗浄液としてアルカリ洗剤を使用しているため、洗浄水が飛散してロッド８２に掛かるとオイルを分解し、また容器洗浄機の設置される厨房は高温雰囲気であってオイルが蒸発しやすく、すなわちロッド８２の表面が荒れてその動きが鈍くなることが懸念される。そのため、ロッド８２を覆うようにしてゴムブーツ８３が設けられている。
【００２１】
このゴムブーツ８３は、蛇腹の筒形に形成されて伸縮自在であり、またその径はシリンダ８１の径よりも大きく設定されている。そしてゴムブーツ８３は、その一端に設けられた内向きの鍔部８４をシリンダ８１に周設された係止溝８５に嵌めるとともに、他端に設けられた係止溝８６をロッド８２の先端に嵌着された取付円板８７の外周に嵌めることで、上記のようにロッド８２を覆って取り付けられている。
【００２２】
上記のようなゴムブーツ８３付きのガススプリング８０が、一対それぞれロッド８２を下に向けた姿勢で扉１０の左右両側に配されている。詳細には図７にも示すように、上記した扉１０に設けられたヒンジ板６７の前方に突出した部分に、外向きの取付軸８９が突設され、その突出端に、シリンダ８１の基端側に設けられた目玉部９０が回動自由に連結されている。一方、前側の支柱６の前面の下方位置に別のＬ型ブラケット９１が取り付けられ、そのブラケット９１にロッド８２の先端に設けられた目玉部９２が軸９３によって回動可能に支持されている。
【００２３】
本実施形態は上記のような構造であって、続いてその作動を説明する。
洗浄を行う場合は、図１及び図４に示すように扉１０が閉じられた状態から、把手６５に手を掛けて扉１０を手前側に揺動させる。扉１０はその自重も手伝ってガススプリング８０の付勢力に抗してロッド８２を後退させつつ開放される。その間、ストッパアーム７０は転動ローラ７６上を摺動しつつ手前側に引き出され、扉１０が水平となる姿勢まで開放されると、図５に示すように、ストッパアーム７０の先端のフック７１が係止軸７７に係止されることで、扉１０が水平姿勢の開放位置に保持される。なお、ガススプリング８０はダンパ機能も有しているので、扉１０は衝撃を受けることなく開放位置に開放される。
【００２４】
続いて、被洗浄物を入れたラック６２を扉１０の上に載せ、そのまま洗浄室２の両側面に設けられたレール９５（図３参照）に沿ってラック６２を洗浄室２内に押し入れる。そして、再び把手６５に手を掛けて、扉１０を起こしつつ閉じる。ガススプリング８０はロッド８２を突出させる方向の付勢力を有しているから、ガススプリング８０により助勢力を得て扉１０は小さい力でスムーズに閉じることができる。ストッパアーム７０は転動ローラ７６上を摺動しつつ二重壁１９内に押し込まれる。図４のように扉１０が閉じられたら、既述したように、洗浄工程とすすぎ工程とが順次に行われる。それらが完了したら、再び図５のように扉１０を開放し、扉１０の上に一旦ラック６２を引き出して、引き続き回収すればよい。
【００２５】
また、出入口３を通して洗浄室２内を清掃したり、メンテナンスを行う場合は以下のようにする。まず、扉１０を図５に示すように一旦開く。続いて、扉１０を少し起こすとストッパアーム７０のフック７１が係止軸７７から離間するので、引き続いてストッパアーム７０を持って手前側に回動させると、フック７１が係止軸７７から外れつつストッパアーム７０がスリット７５を通してそのまま扉１０側に反転され、収納溝７２に収納される。左右のストッパアーム７０を外したのち扉１０の保持を解除すると、扉１０は自重によりガススプリング８０の付勢力に抗してさらにロッド８２を後退させつつ下方に揺動する。ガススプリング８０のダンパ機能でスムーズに開放される。扉１０は、図３及び図６に示すように、ほぼ真下を向いた姿勢まで揺動され、全開状態となる。すなわち、出入口３の前方に出っ張った部分がほとんど無くなるので、出入口３に正面からより近づけて、出入口３を通した清掃作業やメンテナンスがきわめてやりやすくなる。
【００２６】
扉１０を通常状態に戻すには、図６の全開状態から扉１０を起こし、それとともに収納溝７２内に収納されたストッパアーム７０を洗浄機本体９側に回動させる。そのとき、ストッパアーム７０のフック７１が収納溝７２から突出しているのでストッパアーム７０は簡単に引き出すことができる。そして、回動させたストッパアーム７０の先端をスリット７５を通して二重壁１９内に挿入して転動ローラ７６上に載せる。２本のストッパアーム７０をこのように操作したら、引き続いて扉１０を起こして図４に示すように扉１０を閉じればよい。
【００２７】
以上説明したように、本実施形態によれば以下のような数々の利点を得ることができる。
ストッパアーム７０を係止軸７７から外すことで、扉１０をほぼ真下を向いた全開姿勢とすることができるから、出入口３の前方に邪魔なものが無くなって、出入口３を通しての洗浄室２内の清掃やメンテナンスがきわめてやりやすくなる。扉１０を閉鎖方向に助勢するガススプリング８０を設けたから、扉１０の閉鎖動作を軽く行うことができ、しかも両ガススプリング８０は扉１０の側方に配されているから、上記のように扉１０をほぼ真下を向いた全開姿勢に持ち来すことが実現できる。また、扉１０のヒンジ板６７にガススプリング８０の扉１０側の端部を兼用して支持するようにしたから、構造も簡単となる。扉１０はストッパアーム７０を介して開放状態に保持されるから、ガススプリング８０で直に支持する場合に比べて、ガススプリング８０の耐久性が向上する。
【００２８】
また、ガススプリング８０のロッド８２を覆うようにゴムブーツ８３を設けたので、ロッド８２の表面を保護できてスムーズな摺動が確保される。ガススプリング８０が下向きに取り付けられていて、ゴムブーツ８３で覆われた部分が丁度作業者の膝が当たるような位置に来るので、仮に膝をぶつけたとしても痛みは覚えない。また、弾縮されたゴムブーツ８３の復元弾力は、扉１０を閉鎖する場合の助勢力にも利用できる。
【００２９】
さらに、ストッパアーム７０は、洗浄機本体９の側面の二重壁１９内に出し入れされるようになっているから衛生的である。ストッパアーム７０を係止軸７７から外す場合に、前面側から簡単に操作することができる。ストッパアーム７０を扉１０側に反転させた場合に、収納溝７２内に収めることができるので、扉１０が全開姿勢を取ったときにもストッパアーム７０が出っ張って邪魔になるようなことはない。一方、フック７１の一部は収納溝７２から突出するので、ストッパアーム７０を収納溝７２から引き出す作業がやりやすい。
【００３０】
また、図７に示すように、扉１０のヒンジ板６７と連結されるブラケット６６が、上方部分（同図の符号６６Ａで示す）を敢えて扉１０の側面とラップするように出っ張って形成されており、これは不用意に余分なものを噛み込むのを防止ことに寄与し得る。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本発明は、上記実施形態に例示した容器洗浄機に限らず、洗浄室の前面の出入口に手前側に揺動開閉する扉を備えた洗浄機全般に適用することができる。
（２）さらに洗浄機に限らず、機器本体の前面の開口部に手前側に揺動開閉される扉を設けた機器の扉装置全般に広く適用することが可能である。
【図面の簡単な説明】
【図１】  本発明の一実施形態に係る容器洗浄機の扉を閉じた状態の外観斜視図である。
【図２】  扉を開いた状態の斜視図である。
【図３】  扉を下向きに全開した状態の斜視図である。
【図４】  扉を閉じた状態のパネルを外した側面図である。
【図５】  扉を開いた状態の一部切欠側面図である。
【図６】  扉を下向きに全開した状態の一部切欠側面図である。
【図７】  扉の揺動支持部分の構造を示す拡大斜視図である。
【図８】  ガススプリングの一部切欠正面図である。
【図９】  容器洗浄機の内部構造を示す断面図である。
【図１０】  ノズルホルダ部分の詳細を示す拡大断面図である。
【図１１】  オーバフローパイプの一部切欠斜視図である。
【図１２】  従来例の側面図である。
【符号の説明】
１…箱体  ２…洗浄室  ３…出入口  ６…支柱  １０…扉  ６６…ブラケット６７…ヒンジ板  ６８…軸  ７０…ストッパアーム  ７１…フック  ７５…スリット  ７７…係止軸  ８０…ガススプリング  ８９…軸  ９１…ブラケット  ９３…軸
【図１】
0003767964.tif 000002
【図２】
0003767964.tif 000003
【図３】
0003767964.tif 000004
【図４】
0003767964.tif 000005
【図５】
0003767964.tif 000006
【図６】
0003767964.tif 000007
【図７】
0003767964.tif 000008
【図８】
0003767964.tif 000009
【図９】
0003767964.tif 000010
【図１０】
0003767964.tif 000011
【図１１】
0003767964.tif 000012
【図１２】
0003767964.tif 000013